(57)【要約】【課題】  本発明の目的は、コンピュータなどの無線インターフェースとして利用可能なように小型化されたバイコニカル・アンテナを提供することにある。【解決手段】  本発明のバイコニカル・アンテナ１０ａは、給電部１２ａとグランド部１４ａを有する。給電部１２ａとグランド部１４ａは、頂部Ａ，Ａ’に平面を有する円錐台形状である。頂部Ａ，Ａ’同士がギャップ１６ａを有して対向している。給電部１２ａとグランド部１４ａは銅などの導体で形成される。給電部１２ａとグランド部１４ａの間を誘電体１８で満たしている。【選択図】    図１
2006041863.tif 000002
【特許請求の範囲】
【請求項１】
少なくとも表面が導体で形成され、頂部に平面を有する円錐台形状である給電部と、
少なくとも表面が導体で形成され、頂部に平面を有する円錐台形状であり、前記給電部とは頂部の平面同士がギャップを有し、対向して配置されているグランド部と、
前記給電部とグランド部との間を満たす誘電体と、
を有するバイコニカル・アンテナ。
【請求項２】
前記給電部とグランド部とは、円錐台形状の高さが同じである請求項１に記載のバイコニカル・アンテナ。
【請求項３】
前記給電部とグランド部とは、円錐台形状の高さが異なる請求項１に記載のバイコニカル・アンテナ。
【請求項４】
前記給電部とグランド部において、給電部の方が円錐台形状の高さが高くなっている請求項３に記載のバイコニカル・アンテナ。
【請求項５】
円柱形状の導体で形成され、前記グランド部の底部に接続されたグランド補強部を有する請求項４に記載のバイコニカル・アンテナ。
【請求項６】
前記給電部の頂部に円盤形状のリフレクターを設けた請求項１乃至５に記載のバイコニカル・アンテナ。
【請求項７】
カットする周波数にあわせて前記円盤形状の直径が異なる請求項６に記載のバイコニカル・アンテナ。
【発明の詳細な説明】
【技術分野】
【０００１】
本発明は、無線通信をおこなうためのバイコニカル・アンテナに関するものである。
【背景技術】
【０００２】
近年、超広帯域を利用する通信技術であるＵＷＢ（Ultra Wideband）が注目されている（非特許文献１、非特許文献２参照）。ＵＷＢは、３．１ＧＨｚ〜１０．６ＧＨｚの帯域において、幅がわずか１ｎｓ程度のパルスを使用する。周波数上で見ると、数ＧＨｚ幅という非常に広い帯域を占有する格好になる。したがって、高速通信をおこなうことが可能となる。
【０００３】
ＵＷＢでは通信可能距離が短いため、コンピュータと周辺機器とのデータ伝送をおこなうための無線インターフェースへの利用が考えられている（非特許文献３、非特許文献４参照）。
【０００４】
ＵＷＢで使用されるアンテナには、バイコニカル・アンテナがある。バイコニカル・アンテナに関しては、特許文献１や特許文献２に、その構造などが開示されている。
【０００５】
図２２に示すように、一般的なバイコニカル・アンテナ４０は、円錐台形状の金属がギャップ４６を介して対向している。その内の一方が給電部４２であり、他方がグランド部４４である。給電部４２は、同軸ケーブル２４の中心線２０に接続されている。グランド部４４は、同軸ケーブル２４のシールド導体２２に接続されている。給電部４２の側面で電磁波の放射または受信をおこなう。
【０００６】
上述したように、コンピュータでＵＷＢを使用することが考えられている。したがって、アンテナ４０をコンピュータに取り付けたりする必要があり、小型化することが望ましい。特にノート型パソコンに取り付ける場合は、アンテナ４０の小型化が望まれる。例えば、特許文献２では、ギャップ４６の長さが数ｃｍ、その他の部分も数十ｃｍくらいの大きさがあり、非常に大型である。なお、特許文献１には大きさは記載されていない。特許文献１や特許文献２には、アンテナ４０を小型化し、コンピュータの無線インターフェースとして使用するようなことは記載されていない。従来技術のままでは、バイコニカル・アンテナ４０を用いたコンピュータの無線インターフェースは断念しなくてはならない。
【０００７】
【特許文献１】特開２００１−１８５９４２号公報
【特許文献２】特開平９−８５５０号公報
【非特許文献１】日経エレクトロニクス  ２００３  ２−１７  no.８４１  日経ＢＰ社
【非特許文献２】NIKKEIMICRODEVICES  ２００３．８  No.２１８  日経ＢＰ社
【非特許文献３】日経エレクトロニクス  ２００４  ２−１６  no.８６７  日経ＢＰ社
【非特許文献４】日経エレクトロニクス  ２００４  ３−１５  no.８６９  日経ＢＰ社
【発明の開示】
【発明が解決しようとする課題】
【０００８】
本発明の目的は、コンピュータなどの無線インターフェースとして利用可能なように小型化されたバイコニカル・アンテナを提供することにある。
【課題を解決するための手段】
【０００９】
本発明のバイコニカル・アンテナの要旨は、導体で形成され、頂部に平面を有する円錐台形状である給電部と、導体で形成され、頂部に平面を有する円錐台形状であり、前記給電部とは平面同士がギャップを有して対向しているグランド部と、前記給電部とグランド部との間を満たす誘電体と、を有する。
【００１０】
前記給電部とグランド部とは、円錐台形状の高さが同じであってもよい。
【００１１】
前記給電部とグランド部とは、円錐台形状の高さが異なっていてもよい。
【００１２】
前記給電部とグランド部において、円錐台形状の高さが異なる場合、給電部の方が円錐台形状の高さが高くなっている。
【００１３】
円錐台形の高さが異なる場合、円柱形状の導体で形成され、前記グランド部の底部に接続されたグランド補強部を有する。
【００１４】
前記給電部の頂部に円盤形状のリフレクターを設けてもよい。
【００１５】
カットする周波数にあわせて前記円盤形状の直径が異なるようにする。
【発明の効果】
【００１６】
本発明は、給電部とグランド部との間を誘電体で満たすことによって、小型化が可能である。これは誘電体の比誘電率が空気よりも高く、アンテナ内での電磁波（信号）の波長を短くすることができるためである。小型化されることにより、コンピュータなどに取り付けが容易になる。
【発明を実施するための最良の形態】
【００１７】
次に、本発明のバイコニカル・アンテナの実施形態について図面を用いて説明する。
【００１８】
図１の本発明のバイコニカル・アンテナ１０ａは、給電部１２ａとグランド部１４ａを有する。給電部１２ａとグランド部１４ａは、頂部Ａ，Ａ’に平面を有する円錐台形状である。頂部Ａ，Ａ’同士がギャップ１６ａを有して対向している。給電部１２ａとグランド部１４ａの頂部Ａ，Ａ’同士および底部Ｂ，Ｂ’同士は平行になっている。給電部１２ａとグランド部１４ａは銅などの導体で形成される。また、給電部１２ａとグランド部１４ａの内部を樹脂などで形成し、その表面を導体で覆う構成であっても良い。これは、いわゆる表皮厚さまでしか、電磁波が導体内を伝搬できないからである。なお、後の実施例２などで示すリフレクターやグランド補強部についても同様である。
【００１９】
給電部１２ａとグランド部１４ａの間を誘電体１８で満たしている。すなわち、給電部１２ａとグランド部１４ａの頂部Ａ，Ａ’同士および側面同士は、誘電体１８を介して対向している。給電部１２ａ、グランド部１４ａおよび誘電体１８で円柱形状になる。
【００２０】
給電部１２ａとグランド部１４ａの間を誘電体１８で満たすことによって、バイコニカル・アンテナ１０ａの小型化が可能となる。これは、空気と比べて誘電体１８の方が比誘電率が高く、アンテナ１０ａ内での電磁波（信号）の波長が短くなるためである。誘電体１８としては、例えばエポキシ樹脂やアルミナなどである。なお、給電部１２ａとグランド部１４ａの間は、図１に示すように、円錐台形状の傾斜面同士の間を含む。
【００２１】
バイコニカル・アンテナ１０ａは、信号が伝搬する中心導体２０と、中心導体２０を被覆する絶縁体と、絶縁体を被覆するシールド導体２２とを有する同軸ケーブル２４を有する。中心導体２０と絶縁体とは、グランド部１４ａの中心を貫き、中心導体２０は給電部１２ａの頂部Ａに接続される。シールド導体２２は、グランド部１４ａに接続されている。
【００２２】
同軸ケーブル２４は、コネクタ２６が設けられており、種々の回路にアンテナ１０ａが接続できるようになっている。
【００２３】
以上が本発明のバイコニカル・アンテナの基本的な形状であり、以下、図１の形状をはじめとして、種々の形状について説明する。
【実施例１】
【００２４】
給電部１２ａとグランド部１４ａとが同一形状の場合について説明する。給電部１２ａとグランド部１４ａは同じ形状である。ギャップ１６ａの中心において、給電部１２ａとグランド部１４ａとが対象になっている。
【００２５】
バイコニカル・アンテナ１０ａの形状の一例としては、円錐台形状の底部Ｂ，Ｂ’は直径１５ｍｍ、頂部Ａ，Ａ’は直径２．４ｍｍ、高さは１３ｍｍである。給電部１２ａとグランド部１４ａの頂部Ａ，Ａ’同士が平行になっている。ギャップ６ａは１．５ｍｍである。誘電体１８の比誘電率は３．６である。
【００２６】
図１の場合のシミュレーション結果を図２に示す。このシミュレーションにおいては、同軸ケーブル２４はグランド部１４ａの底部Ｂ’で終了するように設定している。シミュレーションはＡｎｓｏｆｔ社のＨＦＳＳを使用している。ＵＷＢ使用帯域である３．１ＧＨｚ〜１０．６ＧＨｚにおいてＶＳＷＲ（Voltage Standing Wave Ratio）が２以下となっている。ＶＳＷＲは１に近いほうがアンテナ特性としてよく、２以下であれば十分にアンテナとして使用できる。
【００２７】
実際に作成したバイコニカル・アンテナのＶＳＷＲを図３に示す。同軸ケーブル２４の長さは、グランド部１４ａの底面Ｂ’から３０〜４０ｍｍである。シミュレーション結果と同様に、ＵＷＢ使用帯域においてＶＳＷＲが２以下になっている。シミュレーションと同様に、本発明はアンテナ特性が良いことがわかる。
【００２８】
上記の形状から、一部の形状を変更して、種々のシミュレーションをおこない、上記の形状が最適であることを求めたので、以下に示す。
【００２９】
誘電体１８の比誘電率を４．０にし、ギャップ１６ａを変化させた場合、図４に示すように、１．５ｍｍの場合に最も良い結果が得られた。また、ギャップ１６ａが１．２ｍｍや１．８ｍｍであっても結果は良好であった。ギャップ１６ａは１．２〜１．７ｍｍ程度が良く、１ｍｍより短くなったり、２ｍｍより長くなったりするとアンテナ特性が悪くなる。
【００３０】
バイコニカル・アンテナ１０ａの給電部１２ａおよびグランド部１４ａの高さを変化させた場合のＶＳＷＲを図５に示す。高さが、１２ｍｍまたは１３ｍｍの場合に良好なアンテナ特性が得られている。この高さの変化は１ｍｍの変化で、ＶＳＷＲの値が大きく変化することがわかる。
【００３１】
バイコニカル・アンテナ１０ａのアンテナ幅、すなわち給電部１２ａとグランド部１４ａの底面Ｂ，Ｂ’の直径を変化させた場合のＶＳＷＲの値を図６に示す。１５ｍｍから１７ｍｍでアンテナ特性が良いのが確認できる。１３ｍｍとなるとアンテナ特性が悪化する帯域が現れる。アンテナの小型化を考慮すると、１５ｍｍが最も良い。
【００３２】
小型形状にすることを目的とすると誘電体１８の比誘電率を高くすることが考えられる。このことについて、比誘電率を種々変化させたシミュレーション結果を図７に示す。比誘電率が３．６のときに最もよい結果がでており、４．０の場合でもほぼ良好な結果である。単に比誘電率を高くしても、アンテナとして所望の働きをしないことがわかる。
【００３３】
以上、種々のシミュレーションおよび実験において、給電部１２ａとグランド部１４ａとの間に誘電体１８を有するバイコニカル・アンテナ１０ａは、アンテナとして所望の働きをすることがわかった。必要な帯域でＶＳＷＲが２以下となり、アンテナとして実用的である。誘電体１８を設けたことによって、従来と比べて小型化されている。小型になったことによって、コンピュータなどに取り付けたときに場所をとらないなどメリットが大きい。
【００３４】
バイコニカル・アンテナ１０ａの製造は、（１）導体を円錐台形の形状に削りだすか、または銅板を金型で打ち抜いた電極で給電部１２ａとグランド部１４ａを形成する。また、樹脂などで円錐台形を形成し、その表面に無電解メッキなどをおこない、導体で覆ってもよい。
【００３５】
（２）グランド部１４ａの導体の中心を貫通する穴を形成し、同軸ケーブル２４をその穴に通す。
【００３６】
（３）同軸ケーブル２４の中心導体２０を給電部１２ａに接続し、シールド導体２２は穴の中でグランド部１４ａに接続する。このとき、給電部１２ａとグランド部１４ａは頂部が対向するようにする。また、給電部１２ａとグランド部１４ａとは所定のギャップ１６ａを有して配置される。
【００３７】
（４）給電部１２ａとグランド部１４ａとの間を誘電体１８で満たす。誘電体１８を満たす方法は、（Ａ）円筒形の容器に上記（３）までで形成された中間製品を入れる。（Ｂ）円筒形の容器の中に溶融された誘電体１８を流し込み、誘電体１８を固化させる。このとき、誘電体１８に空気が入り込まないように、真空引きによって脱泡することが望ましい。すなわち、脱泡成形をおこなう。（Ｃ）容器から誘電体１８が固化された中間製品を取り出し、誘電体１８の不要な部分を削り、円柱形状にする。
【００３８】
（５）同軸ケーブル２４にコネクタ２６を接続することによって、バイコニカル・アンテナ１０ａが完成する。なお、（５）の工程は（４）の工程の前におこなっていてもよい。
【００３９】
従来と比較して、誘電体１８を形成する上記（４）の工程が追加されている。（４）の工程を追加することによって、アンテナ１０ａの形状が小型化されるメリットがある。
【実施例２】
【００４０】
給電部１２ｂとグランド部１４ｂとの形状が異なる場合について説明する。図８に示すように、給電部１２ｂとグランド部１４ｂとは、円錐台形状の高さが異なる。給電部１２ｂとグランド部１４ｂにおいて、給電部１２ｂの方が円錐台形状の高さが高くなっている。
【００４１】
給電部１２ｂの頂部Ａにはリフレクター３０ｂを設ける。リフレクター３０ｂは円盤形状である。リフレクター３０ｂは、高域周波数を緩やかにカットする働きがある。なお、リフレクター３０ｂの無い構成であっても良い。
【００４２】
円柱形状の導体で形成され、グランド部１４ｂの底部Ｂ’に接続されたグランド補強部２８ｂを有する。例えば、グランド部１４ｂの底部Ｂ’の直径とグランド補強部２８ｂの直径は、同じである。グランド補強部２８ｂは、グランド部１４ｂの高さが、給電部１２ｂより低くなっているため、グランドとしての容量が小さくなっているのを補うものである。
【００４３】
バイコニカル・アンテナ１０ｂの形状の一例を以下に示す。給電部１２ｂおよびグランド部１４ｂの底部Ｂ，Ｂ’と頂部Ａ，Ａ’の直径は、それぞれ１１．０ｍｍと２．８ｍｍである。給電部１２ｂの高さは８．０ｍｍ、グランド部１４ｂの高さは５．０ｍｍである。リフレクター３０ｂの直径は２．８ｍｍであり、高さは１．０ｍｍである。グランド部１４ｂの頂部Ａ’からリフレクター３０ｂまでのギャップ１６ｂは２．８ｍｍである。グランド補強部２８ｂの高さは１３．０ｍｍである。誘電体１８の比誘電率は３．６である。実施例１と比較して全体の高さは高くなっているが、直径が小さくなっている。
【００４４】
上記の形状のバイコニカル・アンテナ１０ｂのＶＳＷＲのシミュレーション結果を図９に示す。同軸ケーブル２４が、グランド補強部２８ｂの底面Ｄからはみ出さない状態でシミュレーションをおこなっている。ＵＷＢの使用帯域においてＶＳＷＲは２以下となっている。また、使用帯域外ではＶＳＷＲが高くなっている。特に３．１ＧＨｚ付近で、急激にＶＳＷＲが高くなっており、アンテナとして必要な周波数のみを使用できることがわかる。すなわち、必要な帯域だけ使用することができ、アンテナ特性として良好である。また、小型になっており、場所をとらない。
【００４５】
図９のシミュレーション結果に基づいて、上記の形状のバイコニカル・アンテナ１０ｂを実際に制作し、そのＶＳＷＲの値を図１０に示す。同軸ケーブル２４の長さは、グランド補強部２８ｂの底部Ｄから３０〜４０ｍｍである。シミュレーション結果と同様の結果となっている。アンテナとして良好な結果となっている。
【００４６】
上記の形状から、一部の形状を変更して、種々のシミュレーションをおこない、上記の形状が最適であることを求めたので、以下に示す。
【００４７】
バイコニカル・アンテナ１０ｂのギャップ１６ｂを変化させた場合のＶＳＷＲのシミュレーション結果を図１１に示す。ギャップ１６ｂが２．８ｍｍの場合に最も良いアンテナ特性となる。２．２ｍｍや３．４ｍｍとなると低域または高域の周波数でＶＳＷＲが２以上となり、アンテナ特性が悪化するのがわかる。
【００４８】
図１２に、バイコニカル・アンテナ１０ｂの給電部１２ｂの高さを変化させた場合のＶＳＷＲのシミュレーション結果を示す。給電部１２ｂは、８ｍｍのときが最もアンテナ特性がよい。また、６ｍｍや１０ｍｍとなると低域または高域の周波数でＶＳＷＲが２以上となり、アンテナ特性が悪化するのがわかる。数ミリの高さの違いによってアンテナ特性が大きく変化するのがわかる。
【００４９】
バイコニカル・アンテナ１０ｂのグランド部１４ｂの高さを変化させた場合のＶＳＷＲのシミュレーション結果を図１３に示す。また、上記の形状の中でグランド部１４ｂの高さを変化させてシミュレーションをおこなった場合、５．０ｍｍが最適である。グランド部１４ｂの高さが、４．０ｍｍ以下または６．０ｍｍ以上になると、ＶＳＷＲの値が３．１ＧＨｚ付近で高くなり、アンテナ特性が悪化する。
【００５０】
バイコニカル・アンテナ１０ｂのグランド補強部２８ｂの高さを変化させた場合のＶＳＷＲのシミュレーション結果を図１４に示す。グランド補強部２８ｂの高さが１３ｍｍから１５ｍｍの場合にアンテナ特性が良いのがわかる。１１ｍｍとなると、低域周波数でＶＳＷＲが２以上となり、アンテナ特性が悪化する。これは、ある一定以上の高さとなると、グランドとしての十分な機能を確保できるからである。アンテナの小型化を考慮すると、１３ｍｍが最も良い。
【００５１】
図１５に、バイコニカル・アンテナ１０ｂの幅、すなわち給電部１２ｂとグランド部１４ｂの底部Ｂ，Ｂ’の直径を変化させた場合のＶＳＷＲのシミュレーション結果を示す。直径が１１ｍｍまたは１２ｍｍの場合にＶＳＷＲが２以下となり、アンテナ特性がよい。アンテナの小型化を考慮すると、１１ｍｍが好ましい。
【００５２】
バイコニカル・アンテナ１０ｂのリフレクター３０ｂの高さを変化させた場合のＶＳＷＲのシミュレーション結果を図１６に示す。リフレクター３０ｂによって、高域の周波数をカットできるのがわかる。ＵＷＢ使用帯域からはずれたところでＶＳＷＲが２以上となっており、必要な周波数以外をカットできるのがわかる。リフレクター３０ｂの高さが１．０ｍｍまたは１．５ｍｍでアンテナ特性が良くなっている。小型化を考慮すると、高さが１．０ｍｍが好ましい。
【００５３】
誘電体１８の比誘電率を変化させた場合のシミュレーション結果を図１７に示す。比誘電率３．６の場合が最も良く、その他３．０や４．０の場合もアンテナ特性はよい。したがって、単に比誘電率を高くするだけでは、アンテナの特性としては良くならないことがわかる。
【００５４】
以上、給電部１２ｂとグランド部１４ｂの高さを異なるようにすることによって、アンテナ１０ｂの形状を小型にできることが確認できた。コンピュータやその周辺機器に取り付ける場合に有利である。
【実施例３】
【００５５】
実施例１のバイコニカル・アンテナ１０ａを基にして、図１８に示すようにリフレクター３０ｃを設けた場合の実施例を説明する。リフレクター３０ｃは、給電部１２ｃの頂部に設ける。リフレクター３０ｃは、円盤形状である。リフレクター３０ｃの高さは１ｍｍである。
【００５６】
リフレクター３０ｃの直径Ｃを変化させた場合のＶＳＷＲのシミュレーション結果を図１９に示す。直径１０ｍｍのリフレクター３０ｃを用いると５ＧＨｚ帯域をカットできることがわかる。すなわち、リフレクター３０ｃによって、バンド・ストップ・フィルターを構成できることが確認できる。リフレクター３０ｃによって所望の周波数をカットできる場合、アンテナ１０ｃに接続するバンド・ストップ・フィルターを設ける必要が無くなる。
【実施例４】
【００５７】
実施例２のバイコニカル・アンテナ１０ｂを基にして、リフレクター３０ｄの直径Ｃを図２０に示すように変化させた場合のシミュレーション結果を図２１に示す。５ＧＨｚ以上の高域周波数をカットできることがわかる。小型でかつ高域の周波数をカットできることができる。高域の周波数をカットしたい場合、図２０のバイコニカル・アンテナ１０ｄを使用することによって、アンテナ１０ｄに接続されるバンド・ストップ・フィルターなどを削除することができる。
【００５８】
実施例３および実施例４において、リフレクター３０ｃ，３０ｄによって特定の周波数をカットできることがわかった。バイコニカル・アンテナ１０ｃ，１０ｄに接続されるバンド・ストップ・フィルターなどを削除することも可能となる。アンテナ１０ｃ，１０ｄで特定の周波数カットをおこなっても良いし、アンテナ１０ｃ，１０ｄに接続される回路で特定の周波数カットをおこなっても良く、アンテナ１０ｃ，１０ｄや回路の設計の柔軟性が高まる。
【００５９】
以上、実施例１から実施例４において種々の実験およびシミュレーションをおこなった。本発明は誘電体１８を設けることによって、空気と比較して比誘電率が高くなるため、アンテナの小型化が可能となった。アンテナをコンピュータなどに取り付けるのも容易になり、ケーブルなしてデータの送受信をおこなうことが可能となる。また、種々の実験およびシミュレーションにより、小型でかつ最適なアンテナ特性を示すアンテナを設計することができた。
【００６０】
その他、本発明は、その主旨を逸脱しない範囲で当業者の知識に基づき種々の改良、修正、変更を加えた態様で実施できるものである。
【図面の簡単な説明】
【００６１】
【図１】本発明のバイコニカル・アンテナの構成を示す図である。
【図２】図１のバイコニカル・アンテナのＶＳＷＲのシミュレーション結果を示す図である。
【図３】図１のバイコニカル・アンテナの実際のＶＳＷＲの測定値を示す図である。
【図４】図１のバイコニカル・アンテナのギャップを変化させた場合のＶＳＷＲのシミュレーション結果を示す図である。
【図５】図１のバイコニカル・アンテナの給電部およびグランド部の高さを変化させた場合のＶＳＷＲのシミュレーション結果を示す図である。
【図６】図１のバイコニカル・アンテナの給電部とグランド部の底面の直径を変化させた場合のＶＳＷＲのシミュレーション結果を示す図である。
【図７】図１のバイコニカル・アンテナの比誘電率を変化させた場合のＶＳＷＲのシミュレーション結果を示す図である。
【図８】給電部とグランド部とが非対称になっているバイコニカル・アンテナの構成を示す図である。
【図９】図８のバイコニカル・アンテナのＶＳＷＲのシミュレーション結果を示す図である。
【図１０】図８のバイコニカル・アンテナの実際のＶＳＷＲの測定値を示す図である。
【図１１】図８のバイコニカル・アンテナのギャップを変化させた場合のＶＳＷＲのシミュレーション結果を示す図である。
【図１２】図８のバイコニカル・アンテナの給電部の高さを変化させた場合のＶＳＷＲのシミュレーション結果を示す図である。
【図１３】図８のバイコニカル・アンテナのグランド部の高さを変化させた場合のＶＳＷＲのシミュレーション結果を示す図である。
【図１４】図８のバイコニカル・アンテナのグランド補強部の高さを変化させた場合のＶＳＷＲのシミュレーション結果を示す図である。
【図１５】図８に示すバイコニカル・アンテナの給電部とグランド部の底部の直径を変化させた場合のＶＳＷＲのシミュレーション結果を示す図である。
【図１６】図８のバイコニカル・アンテナのリフレクターの高さを変化させた場合のＶＳＷＲのシミュレーション結果を示す図である。
【図１７】図８のバイコニカル・アンテナのリフレクターの比誘電率を変化させた場合のＶＳＷＲのシミュレーション結果を示す図である。
【図１８】リフレクターを取り付けたバイコニカル・アンテナの構成を示す図である。
【図１９】図１８のバイコニカル・アンテナのＶＳＷＲのシミュレーション結果を示す図である。
【図２０】リフレクターを取り付けたバイコニカル・アンテナの構成を示す図である。
【図２１】図２０のバイコニカル・アンテナのＶＳＷＲのシミュレーション結果を示す図である。
【図２２】従来のバイコニカル・アンテナの構成を示す図である。
【符号の説明】
【００６２】
１０ａ，１０ｂ，１０ｃ，１０ｄ，４０：バイコニカル・アンテナ
１２ａ，１２ｂ，１２ｃ，１２ｄ，４２：給電部
１４ａ，１４ｂ，１４ｃ，１４ｄ，４４：グランド部
１６ａ，１６ｂ，１６ｃ，１６ｄ，４６：ギャップ
１８：誘電体
２０：中心導体
２２：シールド導体
２４：同軸ケーブル
２６：コネクタ
２８ｂ，２８ｄ：グランド補強部
３０ｂ，３０ｃ，２０ｄ：リフレクター
【図１】
2006041863.tif 000003
【図２】
2006041863.tif 000004
【図３】
2006041863.tif 000005
【図４】
2006041863.tif 000006
【図５】
2006041863.tif 000007
【図６】
2006041863.tif 000008
【図７】
2006041863.tif 000009
【図８】
2006041863.tif 000010
【図９】
2006041863.tif 000011
【図１０】
2006041863.tif 000012
【図１１】
2006041863.tif 000013
【図１２】
2006041863.tif 000014
【図１３】
2006041863.tif 000015
【図１４】
2006041863.tif 000016
【図１５】
2006041863.tif 000017
【図１６】
2006041863.tif 000018
【図１７】
2006041863.tif 000019
【図１８】
2006041863.tif 000020
【図１９】
2006041863.tif 000021
【図２０】
2006041863.tif 000022
【図２１】
2006041863.tif 000023
【図２２】
2006041863.tif 000024